(57)【要約】【課題】  電池収納室と電気回路基板のレイアウトを最適化し、本来有する撮像装置の機能を損なわずに、小型化を実現させる撮像装置を提供する。【解決手段】  少なくとも第１の電池と第２の電池とを収納する収納室を有する撮像装置であって、所定方向に前記収納室と共に配置される基板と、前記第１の電池が収納される位置と前記基板との間に、前記基板に接続される第１の部材とを有し、前記収納室は、前記第２の電池が収納される位置が前記第１の電池が収納される位置よりも前記基板に近いことを特徴とする撮像装置を提供する。【選択図】        図１
2007036703.tif 000002
【特許請求の範囲】
【請求項１】
少なくとも第１の電池と第２の電池とを収納する収納室を有する撮像装置であって、
所定方向に前記収納室と共に配置される基板と、
前記第１の電池が収納される位置と前記基板との間に、前記基板に接続される第１の部材とを有し、
前記収納室は、前記第２の電池が収納される位置が前記第１の電池が収納される位置よりも前記基板に近いことを特徴とする撮像装置。
【請求項２】
前記第１の部材は、電源コネクター又は信号入出力コネクターであることを特徴とする請求項１記載の撮像装置。
【請求項３】
前記第１の部材は、蓋を開閉可能に支持する開閉機構であることを特徴とする請求項１記載の撮像装置。
【請求項４】
前記撮像装置は、前記基板に付与される荷重を支持するとともに前記基板を保持する保持機構とを更に有することを特徴とする請求項１記載の撮像装置。
【発明の詳細な説明】
【技術分野】
【０００１】
本発明は、一般的には、撮像装置に係り、特に、撮像素子で撮像した被写体像を電子的に記録媒体等に記録する撮像装置に関する。本発明の撮像装置は、例えば、少なくとも２本以上の電池を格納する筐体を有する撮像装置に好適である。
【背景技術】
【０００２】
近年の電子機器の小型化に伴い、デジタルカメラなどの電子撮像装置に関しても小型化が要求されている。電子撮像装置は、電気系の構成部材が多く使用される。特に、電気回路基板等は、銀塩フィルムを使用する一般的な撮像装置に使用されるものに対して大型かつ複雑である。また、電子撮像装置には、パーソナルコンピュータなどの電子機器や電源と接続されるコネクターが取り付けられている。更に、電力が著しく消耗するため、複数本の電池を使用する電子撮像装置が一般的である。従って、これらの部材が装置内部に占有する面積も必然的に大きくなるため、効率的な配置が望まれる。
【０００３】
そこで、電子撮像装置の筐体の一端部に設けられ、使用者が装置を保持するためのグリップ部の内部に電池収納室を配置する電子撮像装置が提案されている（例えば、特許文献１及び２参照のこと）。この場合、特許文献１の電子撮像装置は、複数本の電池を収納すると共に、電池収納室とは異なる他のユニットに撮像レンズ鏡筒ユニット及び電子回路基板を配置している。また、特許文献２の電子撮像装置は、電池収納室の非被写体側に電気回路板を配置し、一本の電池が収納される位置が被写体側に突出して、グリップ部として機能させている。
【特許文献１】特開平０８−１８６７６８号公報
【特許文献２】特開２００４−２７２００３号公報
【発明の開示】
【発明が解決しようとする課題】
【０００４】
しかしながら、撮像装置においては、内部の電気回路基板の大きさが撮像装置自体の外形寸法を決める大きな要因となる。そこで、電気回路基板を効率よく収納する必要がある。特許文献１の撮像装置では、筐体の一端部に電池収納室を設けているので、電気回路基板の長さに電池収納室の長さを加算した寸法になる。また、撮像レンズ鏡筒ユニットが撮像装置本体とは独立した位置に配置されている。そのため、電気回路基板と電池収納室との長さに撮像レンズ鏡筒ユニットを加算した寸法になり、撮像装置が大型化となる。
【０００５】
また、特許文献２の撮像装置は、撮影レンズ鏡筒ユニットと一体型であり、電池収納室の非被写体側に電池収納室と重なるように電気回路基板を配置し、一本の電池の収納位置を被写体側に突出させている。そして、その他の複数の電池を平行に配置している。それにより、特許文献２の撮像装置は、撮像装置の長さを短くしている。しかしながら、特許文献２の撮像装置は、電源コネクターや信号入出力コネクターなどを係る電気回路基板に取り付けるスペースがないため、コネクター用に別の電気回路基板を更に配置しなければならない。若しくは、仮に係る電気回路基板に電源コネクターや信号入出力コネクターを配置するならば、電子撮像装置を厚くして、配置しなければならなかった。そのため、レイアウトの効率が悪かった。
【０００６】
そこで、本発明は、電池収納室と電気回路基板のレイアウトを最適化し、本来有する撮像装置の機能を損なわずに、小型化を実現させる撮像装置を提供することを例示的な目的とする。
【課題を解決するための手段】
【０００７】
本発明の一側面としての撮像装置は、少なくとも第１の電池と第２の電池とを収納する収納室を有する撮像装置であって、所定方向に前記収納室と共に配置される基板と、前記第１の電池が収納される位置と前記基板との間に、前記基板に接続される第１の部材とを有し、前記収納室は、前記第２の電池が収納される位置が前記第１の電池が収納される位置よりも前記基板に近いことを特徴とする。
【発明の効果】
【０００８】
本発明によれば、電池収納室と電気回路基板のレイアウトを最適化し、本来有する撮像装置の機能を損なわずに、小型化を実現させる撮像装置を提供することができる。
【発明を実施するための最良の形態】
【０００９】
以下、添付図面を参照して、本発明の一側面としての撮像装置について説明する。なお、各図において、同一の部材については同一の参照番号を付し、重複する説明は省略する。ここで図１及び図２は、撮像装置１００の構成を示す概略断面図である。
【００１０】
撮像装置１００は、撮像素子で撮像した被写体像を電子的に記録媒体等に記録する。撮像装置１００は、液晶表示装置１１０と、操作部１２０と、撮影レンズ用開口部１３０と、ファインダ光学系開口部１４０と、発光窓１５０と、筐体１６０と、電気回路基板１７０と、開閉機構１８０と、保持機構１９０とを有する。
【００１１】
液晶表示装置１１０は、撮像する被写体像の確認または撮像された画像の再生表示をする。液晶表示装置１１０は、撮像装置１００の背面側（つまり、非被写体側）に形成されている。また、液晶表示装置１１０は、例えば、ＬＣＤである。
【００１２】
操作部１２０は、使用者が撮像装置１００を操作するために形成されている。この場合、操作部１２０は、シャッターボタン１２１と、モード設定ダイヤル１２２と、ズーム切替レバー１２３と、操作ボタン１２４とを有する。また、操作部１２０は、使用者の利便性を向上させるために撮影時に使用者の指が届く範囲に集中するように形成されている。
【００１３】
シャッターボタン１２１は、撮像装置１００を撮像させるために使用され、２段階の押圧操作が可能となっている。この場合、シャッターボタン１２１は、半押し操作が行われると、撮影準備動作（測光動作や測距動作等）が開始され、全押し操作が行われると、被写体が撮像される。
【００１４】
モード設定ダイヤル１２２は、撮影モードを切り替えるために使用され、撮像装置１００の上部に配置され、撮像装置１００に対して回動可能に支持されている。モード設定ダイヤル１２２の上面には、各種の撮影モードに応じたマークが表示されている。これらのマークが撮像装置１００本体の外面に形成された図示しない指標に合わせられることで、マークに応じた撮影モードの設定を行うことができる。
【００１５】
ズーム切替レバー１２３は、光学系の焦点距離を切り替えるために使用され、シャッターボタン１２１を取り囲むように配置される。また、ズーム切替レバー１２３は、回動可能である。この場合、ズーム切替レバー１２３は、一方向に回動させると光学系の焦点距離をワイド方向に切り替えることができ、他の方向に回動させると、テレ方向に切り替えることができる。
【００１６】
操作ボタン１２４は、撮像装置１００を操作するために使用される。操作ボタン１２４は、液晶表示装置１１０の近傍に配置される。また、操作ボタン１２４は、本実施例では、１つの中心ボタンと、その回りに形成される４つのボタンから構成される。
【００１７】
撮影レンズ用開口部１３０は、被写体の光束を内部に導入する。撮影レンズ用開口部１３０を通過した被写体光束は、撮像装置１００内に配置された不図示の撮像媒体（フィルムやＣＣＤ等の撮像素子）で結像する。また、撮影レンズ用開口部１３０の被写体側には、開閉カバー１３１が形成されている。開閉カバー１３１は、電源を入れると上下にスライドして収納される。
【００１８】
ファインダ光学系開口部１４０は、使用者が被写体を確認するための開口であって、撮影レンズ用開口部１３０の近傍に配置される。つまり、ファインダ光学系開口部１４０は、撮影レンズ用開口部１３０の上方に配置され、撮影動作時に観察し、撮影範囲を決定するために使用者に用いられる。
【００１９】
発光窓１５０は、図示しない発光源からの光を被写体に照明するための窓である。この場合、発光源は、撮影時に光量が足りないときに必要に応じて発光する。
【００２０】
筐体１６０は、撮像装置１００の内部部材を保護する機能を有する。従って、筐体１６０は、図３に示すように、電池カバー１６１と、上カバー１６２と、前カバー１６３と、後カバー１６４とを有する。ここで、図３は、撮像装置１００を分解した場合の斜視図である。
【００２１】
電池カバー１６１は、筐体１６０と共同して電池２００を筐体１６０内部に保持する。電池カバー１６１は、撮像装置１００に対して回動可能に形成されている。従って、電池カバー１６１が開くことによって、電池２００が挿脱可能になる。また、電池カバー１６１は、筐体１６０の底面部に形成されている。
【００２２】
上カバー１６２は、撮像装置１００の内部部材を保護する機能を有する。上カバー１６２は、投影装置１００の上部に配置される。上カバー１６２は、シャッターボタン１２１、モード設定ダイヤル１２２及びズーム切替ボタン１２３が可動可能に配置されている。
【００２３】
前カバー１６３は、撮像装置１００の内部部材を保護する機能を有する。前カバー１６３は、電池収納部としても機能する。前カバー１６３は、撮像装置１００の前面に配置される。この場合、前カバー１６３は、使用者による右手操作側が手で握りやすいように突出形状となっており、係る突出形状がグリップ部１６３ａとして機能する。また、グリップ部１６３ａは、被写体側に形成されている。更に、グリップ部１６３ａは、上部にシャッターボタン１２１が配置され、内部が電池収納部として機能する。本実施例では、前カバー１６３は、４本の電池を収納することができる。尚、前カバー（電池収納部）１６３と電気回路基板１７０とのレイアウトについては後述する。
【００２４】
後カバー１６４は、撮像装置１００の内部部材を保護する機能を有する。後カバー１６４は、操作ボタン１２４が形成されている。後カバー１６４は、撮像装置１００の背面に配置される。また、後カバー１６４は、ヒンジ１６４ａを介して液晶表示装置１１０と接続されている。
【００２５】
電気回路基板１７０は、所定方向に前カバー（電池収納部）１６３と共に配置される。この場合、所定の方向とは、撮影光軸方向Ａをさす。電気回路基板１７０は、図３に示すように、２枚の大型電気回路基板からなる。即ち、電気回路基板１７０は、前面側基板１７１と、背面側基板１７２と、第１の部材１７３と、第２部材１７４と、第３の部材１７５と、第４の部材１７６とを有する。
【００２６】
前面側基板１７１は、主基板であり、図示しないフレキシブルプリント基板を介して背面側基板１７２と電気的に接続されている。前面側基板１７１は、例えば、画像処理部、システム制御部、ＬＣＤ表示部、第１の部材１７３及び第２の部材１７４とが接続されている。
【００２７】
背面側基板１７２は、サブ基板であり、電源供給切替回路、ＤＣ／ＡＣコンバータ、操作ＳＷ、ビデオＩ／Ｆ、第３の部材１７５及び第４の部材１７６とが接続されている。
【００２８】
第１の部材１７３は、図３に示すように、前面側基板１７１に接続され、前カバー１６３と前面側基板１７１との間に配置される。第１の部材１７３は、撮像部、シリアルＩ／Ｆまたはシリアル接続端子等の接続端子であり、後述する接続ケーブル３１０を接続する機能を有する。
【００２９】
第２の部材１７４は、前面側基板１７２に接続され、前カバー１６３と前面側基板１７２との間に配置される。第２の部材１７４は、カードＩ／Ｆ等を含む記録媒体スロットであり、後述する記録媒体３５０を挿脱する機能を有する。
【００３０】
第３の部材１７５は、背面側基板１７２に接続され、前面側基板１７２と背面側基板１７３との間に配置される。第３の部材１７５は、外部電源入力端子であり、後述する外部電源入力ケーブル３３０を接続する機能を有する。
【００３１】
第４の部材１７６は、背面側基板１７２に接続され、前面側基板１７２と背面側基板１７３との間に配置される。第４の部材１７６は、ビデオ接続端子であり、後述するビデオ接続ケーブル３２０を接続する機能を有する。
【００３２】
以下、図４を参照して、前カバー１６３と、前面側基板１７１と、第１の部材１７３とのレイアウトについて説明する。ここで、図４は、撮像装置１００の上部断面図である。
【００３３】
前カバー１６３は、４本の電池２１０、２２０、２３０及び２４０を収納する電池収納部である。前カバー１６３は、第２の電池２２０が収納される位置が第１の電池２１０が収納される位置よりも電気回路基板１７０に近くなるように形成される。そして、第１の電池２１０と電気回路基板１７０との間にできた空間に第１の部材１７３を配置する。この場合、第１の電池２１０が、第２の電池２２０より前面に突出しているが、突出した部分は、グリップ部１６３ａとして機能するためレイアウトの効率が良い。更に、第１の電池２１０が突出することで、第３の電池２３０も突出する。この場合、第３の電池２３０が撮影光軸方向Ａよりも斜めに突出することで、グリップ部１６３ａの角度θが狭くなる。そのため、撮像装置１００が握り易くなる。
【００３４】
また、第１の電池２１０、第２の電池２２０及び第４の電池２４０が、撮影光軸方向Ａと直交する方向に対して、一直線に並んでいないため、撮像装置１００の長手方向の長さを短くすることができる。つまり、第１の電池２１０と第２の電池２２０との一部が長手方向に重なることで、撮像装置１００の外形寸法を短くなる。
【００３５】
また、第１の部材１８３のほかに開閉機構１８０を配置しても良い。
【００３６】
開閉機構１８０は、蓋を開閉可能に支持する機能を有し、図５及び図６に示すように、記録媒体カバー１８１と、ヒンジ１８２と、コネクターカバー１８５と、ヒンジ１８６とを有する。ここで、図５は、撮像装置１００の部分拡大図である。図６は、撮像装置１００の一部拡大断面図である。
【００３７】
記録媒体カバー１８１は、記録媒体３５０を収納する収納室の開口部を覆う機能を有する。つまり、記録媒体カバー１８１は、コネクターである第２の部材１７４を保護する機能を有する。記録媒体カバー１８１は、撮像装置１００の本体にヒンジ１８２によって回動可能に取り付けられている。記録媒体カバー１８１が開くと、記録媒体３５０が挿脱可能になる。
【００３８】
コネクターカバー１８５は、コネクターである第１の部材１７３、第３の部材１７５及び第４の部材１７６を保護する機能を有する。コネクターカバー１８５は、撮像装置１００の本体にヒンジ１８６によって回動可能に取り付けられている。コネクターカバー１８５が開くと、ケーブル３００の抜き差しが可能となる。
【００３９】
再び、図３に戻って、保持機構１９０は、電気回路基板１７０に付与される荷重を支持するとともに電気回路基板１７０を保持する。つまり、保持機構１９０は、シャッターボタン１２１が使用者から押されるときに付与される、電気回路基板１７０への荷重を支持する。更に、保持機構１９０は、電気回路基板１７０の位置を保持する。保持機構１９０は、ビス１９１と、保持部１９２とを有する。
【００４０】
ビス１９１は、保持部１９２を固定すると共に、保持部１９２を介して上カバー１６２、前カバー１６３及び後カバー１６４とを結合している。尚、ビス１９１は、コネクターカバー１７５により外観には露出しない。また、結合方法は、ビス１９１でなくても、保持部１９２に凸部を形成させ、それに対応する凹部を上カバー１６２、前カバー１６３及び後カバー１６４に形成して、結合してもよい。
【００４１】
保持部１９２は、電気回路基板１７０に付与される荷重を支持するとともに電気回路基板１７０を保持する。この場合、電気回路基板１７０に付与される荷重とは、使用者がシャッターボタン１２１を押圧するときに発生する荷重をさす。保持部１９２は、電気回路基板１７０と当接する位置にリブ１９２ａが形成されており、リブ１９２ａに対応する電気回路基板１７０の位置は、切り欠き部１７０ａが形成されている。そのため、切り欠き部１７０ａにリブ１９２ａが嵌め込まれるので、電気回路基板１７０に付与される荷重をリブ１９２ａが支持する。それにより、電気回路基板１７０は、荷重が加えられても、所定の位置を維持することができる。
【００４２】
更に、保持機構１９０は、図６に示すように、リブ１９３及び１９４を有しても良い。リブ１９３及び１９４は、電気回路基板１７０に嵌め込まれており、コネクター３００の抜き挿し時に発生する荷重を支持する。この場合、２つのリブ１９３及び１９４が形成されているので、荷重を２つに分散させることができる。この場合、リブ１９３及び１９４は、凸形状でなくても、爪形状であってもよい。そして、電気回路基板１７０に爪形状に対応する凹部を形成してもよい。
【００４３】
電池２００は、撮像装置１００の電源として使用される。また、電池２００としては、使い切り式一次電池や充電式電池が使用される。
【００４４】
ケーブル３００は、電源を入力する若しくは信号の入出力を行う。ケーブル３００は、図５に示すように、接続ケーブル３１０と、ビデオ接続ケーブル３２０と、外部電源入力ケーブル３３０とを有する。また、ケーブル３００は、第１の部材１７３と、第２部材１７４と、第３の部材１７５と、第４の部材１７６とに接続される。この場合、接続ケーブル３１０は、第１の部材１７３に接続される。ビデオ接続ケーブル３２０は、第４の部材１７６に接続される。外部電源入力ケーブル３３０は、第３の部材１７５と接続される。
【００４５】
記録媒体３５０は、信号処理された被写体像を記憶する。また、記録媒体３５０は、第２の部材１７４に挿入される。
【００４６】
以上のように、撮像装置１００は、電池収納室（前カバー１６２）と電気回路基板１７１のレイアウトを最適化し、本来有する撮像装置１００の機能を損なわずに、小型化を実現させることができる。
【００４７】
動作としては、使用者が、シャッターボタン１２１を押すことにより、電気回路基板１７０に信号を伝達し、被写体が撮像される。撮像された被写体像の画像データが記録される。記録されたデータは、液晶表示装置１１０に表示される。
【００４８】
以上、本発明の好ましい実施例について説明したが、本発明はこれらの実施例に限定されないことはいうまでもなく、その要旨の範囲内で種々の変形及び変更が可能である。
【図面の簡単な説明】
【００４９】
【図１】本発明の撮像装置の構成を示す概略断面図である。
【図２】図１に示す撮像装置の構成を示す概略断面図である。
【図３】図１に示す撮像装置を分解した場合の概略斜視図である。
【図４】図１に示す撮像装置の概略上部断面図である。
【図５】図１に示す撮像装置の概略部分拡大図である。
【図６】図１に示す撮像装置の概略一部拡大断面図である。
【符号の説明】
【００５０】
１００          撮像装置
１１０          液晶表示装置
１２０          操作部
１２１          シャッターボタン
１２２          モード設定ダイヤル
１２３          ズーム切替レバー
１２４          操作ボタン
１３０          撮影レンズ用開口部
１３１          開閉カバー
１４０          ファインダ光学系開口部
１５０          発光窓
１６０          筐体
１６０ａ        グリップ部
１６１          電池カバー
１６２          上カバー
１６３          前カバー
１６３ａ        グリップ部
１６４          後カバー
１７０          電気回路基板
１７１          前面側基板
１７２          背面側基板
１７３          第１の部材
１７４          第２の部材
１７５          第３の部材
１７６          第４の部材
１８０          開閉機構
１８１          記録媒体カバー
１８５          コネクターカバー
１９０          保持機構
１９１          ビス
１９２          保持部
２００          電池
３００          ケーブル
３１０          接続ケーブル
３２０          ビデオ接続ケーブル
３３０          外部電源入力ケーブル
３５０          記録媒体
【図１】
2007036703.tif 000003
【図２】
2007036703.tif 000004
【図３】
2007036703.tif 000005
【図４】
2007036703.tif 000006
【図５】
2007036703.tif 000007
【図６】
2007036703.tif 000008